(57)【特許請求の範囲】
【請求項１】
遊技媒体を払い出す媒体払出手段と、
前記媒体払出手段を作動させて予め定められた数の遊技媒体を払い出すための遊技媒体払出要求信号を出力する払出制御手段を有する遊技制御装置と、
前記払出制御手段からの遊技媒体払出要求信号に基づいて媒体払出手段を駆動させる払出駆動手段とを備えた遊技媒体払出装置において、
上記遊技媒体払出装置は、
前記払出駆動手段の駆動を検知して駆動検知信号を出力する駆動検知手段と、
前記払出制御手段から前記媒体払出手段への遊技媒体払出要求信号の出力がない状態で、前記駆動検知手段から遊技制御装置への駆動検知信号の入力があったことを条件に、遊技媒体払出装置の不正状態と判定する払出状態判定手段と、
前記媒体払出手段から払い出された遊技媒体を検出したことを条件に、前記媒体検出信号を前記払出状態判定手段へ出力する媒体センサと、
前記媒体センサと前記払出状態判定手段との間であって、且つ、前記駆動検知手段と前記払出状態判定手段との間に設けられ、前記駆動検知信号と前記遊技媒体検出信号のいずれか一方の信号を同一の信号線を用いて前記払出制御手段に入力可能とする信号切替手段と、を備え、
上記遊技制御装置は、
前記払出制御手段から前記媒体払出手段への遊技媒体払出要求信号の出力があるときには、前記信号切替手段によって、前記媒体センサからの遊技媒体検出信号を前記払出状態判定手段へ入力可能とする一方、前記払出制御手段から前記媒体払出手段への遊技媒体払出要求信号の出力がないときには、前記信号切替手段によって、前記駆動検知手段からの駆動検知信号を前記払出状態判定手段へ入力可能とするようにした
ことを特徴とする遊技媒体払出装置。
【請求項２】
払出制御手段は、遊技の状況に応じて、払い出す遊技媒体を異にする複数種類の遊技媒体払出要求信号を出力するようにしたことを特徴とする請求項１記載の遊技媒体払出装置。
【請求項３】
駆動検知手段は、払出駆動手段への印可電圧が所定値以上であることを条件に、駆動検知信号を出力するようにしたことを特徴とする請求項１又は２記載の遊技媒体払出装置。
【請求項４】
駆動検知手段は、払出駆動手段への流入電流が所定値以上であることを条件に、駆動検知信号を出力するようにしたことを特徴とする請求項１又は２記載の遊技媒体払出装置。
【請求項５】
媒体センサは、メダルの払い出しが必要でないときには、電源からの電力の供給を停止するようにしたことを特徴とする請求項１、請求項２、請求項３又は請求項４記載の遊技媒体払出装置。
【請求項６】
媒体センサには、信号切替手段を介して駆動検知信号を払出状態判定手段へ入力可能とするものと、信号切替手段を介さずに駆動検知信号を払出状態判定手段へ入力可能とするものとを設けたことを特徴とする請求項１、請求項２、請求項３、請求項４記又は請求項５記載の遊技媒体払出装置。
【発明の詳細な説明】
【０００１】
【発明の属する技術分野】
この発明は、状況に応じて遊技媒体を払い出す遊技媒体払出装置に関し、特に遊技媒体の不正払出を防止するものである。
【０００２】
【従来の技術】
従来、この種の遊技媒体払出装置としては、遊技媒体の通過ごとに媒体検出信号を出力する遊技媒体検出手段と、遊技媒体の払出命令を出力する払出制御手段と、前記払出制御手段からの払出要求信号に基づいて、媒体払出手段を駆動させる払出駆動手段と、前記払出制御手段からの払出要求信号が出力されていない状態で、媒体検出信号が出力されたことを条件に、遊技媒体の不正払出状態と判定する払出状態判定手段とを備えたものが知られていた。
【０００３】
【発明が解決しようとする課題】
しかし、上記した従来の媒体払出装置では、次のような問題点があった。第１に、媒体の通過を検出するようにしていることから、メンテナンスの際に払出駆動手段を手で動作させて遊技媒体を払い出したような場合でも、遊技媒体の不正払出状態と判定してしまい、メンテナンスの妨げとなってしまうことがあった。
【０００４】
第２に、払出要求信号の出力から遊技媒体が実際に検出されるまでに遊技媒体が移動するまでの僅かな時間が必要であるが、この時間が適切でないと、払出不正状態と常に判定されてしまったり、実際の払出不正状態を検出することができないことがあり、正しい遊技媒体の移動タイミングを得るために多くの試行を設計段階で必要とし多くの時間を費やしてしまうといった問題点があった。
【０００５】
そこで、請求項１〜６記載の遊技媒体払出装置は、上記した従来の技術の有する問題点に鑑みてなされたものであり、その目的とするところは、払出駆動手段の駆動により出力される駆動検知信号を監視することで、メンテナンスの妨げとならず、かつ、不正検出のための設計段階での試行の必要性の少ない設計の容易な遊技媒体払出装置を提供しようとするものである。
【０００６】
【課題を解決するための手段】
（特徴点）
本発明は、上記した目的を達成するためのものであり、以下にその内容を図面に示した発明の実施の形態の一例を用いて説明する。
（請求項１）
請求項１記載の遊技媒体払出装置は、払出駆動手段（例えばモータ81）の駆動を検知して駆動検知信号を出力する駆動検知手段(30)と、前記払出制御手段(110)から前記媒体払出手段(80)への遊技媒体払出要求信号の出力がない状態で、前記駆動検知手段(30)から遊技制御装置(100)への駆動検知信号の入力があったことを条件に、遊技媒体払出装置の不正状態と判定する払出状態判定手段(120)とを備えたを特徴とする。
【０００７】
したがって、請求項１記載の遊技媒体払出装置によれば、駆動検知手段(30)は、払出駆動手段(81)の駆動を検知する。払出状態判定手段(120)は、払出制御手段(110)から前記媒体払出手段(80)への遊技媒体払出要求信号の出力がない状態で、前記駆動検知手段(30)からの前記駆動検知信号の入力があったことを条件に、前記遊技媒体払出装置の不正状態と判定する。
【０００８】
ここで、「払出制御手段(110)から前記媒体払出手段(80)への遊技媒体払出要求信号の出力がない状態」とは、「払出制御手段(110)から前記媒体払出手段(80)への遊技媒体払出要求信号の出力があったとき」以外の状態をいう。そして、「遊技媒体払出要求信号の出力があったとき」とは、遊技媒体払出要求信号の出力がされてから、その信号の出力が終了するまでの間も勿論、信号の出力が終了していても、当該遊技媒体払出要求信号の出力に基づく遊技媒体の払い出しを完了するまでの間をも含むものである。
【０００９】
そして、「当該遊技媒体払出要求信号の出力に基づく遊技媒体の払出の完了」とは、媒体センサ(例えば第１のセンサ40)により検知された媒体数が、当該遊技媒体払出要求信号に対応する所定数に達したとき」をいう。
また、請求項１記載の遊技媒体払出装置は、媒体払出手段(80)から払い出された遊技媒体を検出したことを条件に、前記媒体検出信号を前記払出状態判定手段(120)へ出力する媒体センサ(40)と、前記媒体センサ(40)と前記払出状態判定手段(120)との間であって、且つ、前記駆動検知手段(30)と前記払出状態判定手段(120)との間に設けられ、前記駆動検知信号と前記遊技媒体検出信号のいずれか一方の信号を同一の信号線を用いて前記払出制御手段(110)に入力可能とする信号切替手段(50)と、を備えたことを特徴とする。
したがって、請求項１記載の遊技媒体払出装置によれば、遊技制御装置(100)は、前記払出制御手段(110)から前記媒体払出手段(80)への遊技媒体払出要求信号の出力があるときには、前記信号切替手段(50)によって、前記媒体センサ(40)からの遊技媒体検出信号を前記払出状態判定手段(120)へ入力可能とする一方、前記払出制御手段(110)から前記媒体払出手段(80)への遊技媒体払出要求信号の出力がないときには、前記信号切替手段(50)によって、前記駆動検知手段(30)からの駆動検知信号を前記払出状態判定手段(120)へ入力可能とするようにした。
このため、信号切替手段(50)から払出状態判定手段(120)までの信号線を、媒体検出信号と駆動検知信号とで共有することができ、信号線を節約することができるとともに、必要な信号を必要とするときに確実に入力可能とすることができる。
（請求項２）
請求項２記載の遊技媒体払出装置は、上記した請求項１記載の特徴点に加え、払出制御手段(110)は、遊技の状況に応じて遊技媒体払出要求信号を出力するようにしたことを特徴とする。
【００１０】
したがって、請求項２記載の遊技媒体払出装置によれば、払出制御手段(110)は、遊技の状況に応じて（例えば入賞の程度）、払い出す遊技媒体を異にする複数種類の遊技媒体払出要求信号（例えば１つの遊技媒体を払い出す場合には、遊技媒体を１つ払い出すための要求である遊技媒体払出要求信号、２つの遊技媒体を払い出す場合には、遊技媒体を１つ払い出すための要求である遊技媒体払出要求信号とは異なる種類の、遊技媒体を２つ払い出すための要求である遊技媒体払出要求信号）を出力する。
（請求項３）
請求項３記載の遊技媒体払出装置は、上記した請求項１又は請求項２記載の特徴点に加え、駆動検知手段(30)は、払出駆動手段(81)への印可電圧が所定値以上であることを条件に、駆動検知信号を出力するようにしたことを特徴とする。
【００１１】
したがって、請求項３記載の遊技媒体払出装置によれば、払出駆動手段(81)への印可電圧が所定値以上になったことで、払出駆動手段の駆動を検知することができる。
（請求項４）
請求項４記載の遊技媒体払出装置は、上記した請求項１又は請求項２記載の特徴点に加え、駆動検知手段(30)は、払出駆動手段(81)への流入電流が所定値以上であることを条件に、駆動検知信号を出力するようにしたことを特徴とする。
【００１２】
したがって、請求項４記載の遊技媒体払出装置によれば、払出駆動手段(81)への流入電流が所定値以上になったことで、払出駆動手段(81)の駆動を検知することができる。
（請求項５）
請求項５記載の遊技媒体払出装置は、上記した請求項１、請求項２、請求項３又は請求項４記載の特徴点に加え、媒体センサは、メダルの払い出しが必要でないときには、電源からの電力の供給を停止するようにしたことを特徴とする請求項１、請求項２、請求項３又は請求項４記載の遊技媒体払出装置。
【００１３】
（請求項６）
請求項６記載の遊技媒体払出装置は、上記した請求項１、請求項２、請求項３、請求項４記又は請求項５記載の特徴点に加え、媒体センサには、信号切替手段(50)を介して駆動検知信号を払出状態判定手段(120)へ入力可能とするものと、信号切替手段(50)を介さずに駆動検知信号を払出状態判定手段(120)へ入力可能とするものとを設けたことを特徴とする。
【００１４】
このため、信号切替手段(50)から払出状態判定手段(120)までの信号線を、媒体検出信号と駆動検知信号とで共有することができ、信号線を節約することができるとともに、必要な信号を必要とするときに確実に入力可能とすることができる。
【００１５】
【発明の実施の形態】
図１〜３は、本発明の一実施の形態を示すものであり、図１はスロットマシンの制御の概略を示したブロック図、図２は駆動検知手段の一例を示した回路図、図３は各種信号の出力タイミングを示したタイムチャートを各々示す。
（遊技制御装置）図１中、10は、スロットマシンの遊技等の動作を制御するための遊技制御装置である。この遊技制御装置10は、スロットマシンの内部の適宜の位置に配置され、例えば遊技媒体としてのメダルの払出を行うために、後述するメダル払出要求信号aを出力する。
【００１６】
ここで、スロットマシンとは、遊技媒体払出装置の一種であって、その正面には、図柄変動表示装置20が設けられている。前記図柄変動表示装置20は、遊技者の操作により、複数種類の図柄を順次変動表示し、遊技者の操作により、その変動を停止する。そして、図柄変動表示装置20に停止表示された停止図柄の組み合わせが所定の入賞図柄の組み合わせであることを条件に入賞と判定され、メダルが払い出されたり、特別の遊技を行う権利が付与される。
【００１７】
また、遊技制御装置10は、図１に示すように、その入力側に、駆動検知手段30と、媒体センサとしての第１のメダルセンサ40及び第２のメダルセンサ41と、前記駆動検知手段30及び第１のメダルセンサ40との間に設けられた信号切替手段50と、スタートスイッチ60と、ストップスイッチ70とが各々接続されている。さらに、前記遊技制御装置10は、図１に示すように、その出力側に、媒体払出手段80と、図柄変動表示装置20と、外部報知手段90とが各々接続されている。
【００１８】
また、駆動検知手段30と第１のメダルセンサ40とは、信号切替手段50を介して遊技制御装置10と接続されている。なお、媒体払出手段80には、払出駆動手段としてのモータ81が設けられ、前記モータ81を駆動することによりメダルの払い出しが可能となる。
（駆動検知手段）
前記駆動検知手段30は、図２に示すように、トランジスタ、コンパレータなどを用いて、後述する払出駆動手段としてのモータ81の駆動を検知可能に形成され、モータ81の駆動を検知すると、検知信号を出力するように形成されている。具体的には、遊技媒体払出要求信号aが入力されると、トランジスタを介して電源からモータ81に通電される。モータ81に通電され、モータ81に印可された電圧が所定値を越えると、コンパレータから駆動検知信号ｂが出力される。
【００１９】
一方、遊技媒体払出要求信号aの入力がない状態では、電源からモータ81には通電されず、モータ81に印可される電圧は所定値を越えることがないから、コンパレータから駆動検知信号ｂが出力されることもない。
（第１のメダルセンサ）
前記第１のメダルセンサ40は、図には示さないが、発光素子と受光素子とを備え、この発光素子と受光素子との間を遊技媒体としてのメダルが通過するとメダルが検出可能に形成されている。そして、メダルの通過を検出すると遊技媒体検出信号ｃ1を遊技制御装置10に出力する。
【００２０】
また、前記第１のメダルセンサ40は、第２のメダルセンサ41よりも、メダルの払出方向の上流に配置されている。さらに、第１のメダルセンサ40は、メダルの払い出しが必要でないときには、電源からの電力の供給を停止している。このように、メダルの払い出しが必要でないときには、電源からの電力の供給を停止することにより、光センサの寿命が短くなるのを有効に防止することができる。
（第２のメダルセンサ）
前記第２のメダルセンサ41は、前記第１のメダルセンサ40と同様に、図には示さないが、発光素子と受光素子とを備え、この発光素子と受光素子との間をメダルが通過するとメダルが検出可能に形成されている。そして、メダルの通過を検出すると遊技媒体検出信号ｃ2を遊技制御装置10に出力する。
【００２１】
また、前記第１のメダルセンサ40と前記第２のメダルセンサ41とで、メダルの移動方向を検知可能に形成されている。すなわち、第１のメダルセンサがメダルを検出してから第２のメダルセンサ41がメダルを検出する場合には、メダルは、払い出す方向に移動していることが検知できる。逆に、第２のメダルセンサ41がメダルを検出した後に、第１のメダルセンサ40がメダルを検出すると、メダルは、メダルの払出方向とは逆方向に移動していると検知できる。また、両メダルセンサ40,41がメダルを検知するタイミング如何で、メダルの異常な払い出し（例えば命令を超えた枚数のメダルの払い出し、命令以下の枚数のメダルの払い出しなど）が行われているか否かを判定可能に形成されている。
【００２２】
さらに、第２のメダルセンサ41は、第１のメダルセンサ40と同様に、メダルの払い出しが必要でないときには、電源からの電力の供給を停止している。このように、メダルの払い出しが必要でないときには、電源からの電力の供給を停止することにより、光センサの寿命が短くなるのを有効に防止することができる。
（信号切替手段）
前記信号切替手段50は、遊技媒体払出要求信号aが出力されている状態では、第１のメダルセンサ40からの遊技媒体検出信号c1を遊技制御手段に入力可能とする一方、メダルの払い出しが行われていないときには、駆動検知手段30からの駆動検知信号ｂを遊技制御装置10に入力可能に形成されている。
【００２３】
また、前記信号切替手段50は、入力可能な信号を切り替えることができるものであれば何れの構成であってもよく、例えばトランジスタのようなスイッチング素子で構成された電気的スイッチのようなものであってもよい。
（スタートスイッチ）
前記スタートスイッチ60は、所定枚数のメダルが投入されたことを条件に、遊技者等の操作に基づいて、図柄変動表示装置20による図柄の変動表示を開始させるためのものである。
（ストップスイッチ）
前記ストップスイッチ70は、前記図柄変動表示装置20による図柄の変動表示を停止させるためのものである。
（媒体払出手段）
前記媒体払出手段80は、図には詳しく示さないが、所定数の遊技媒体を貯留するとともに、貯留された遊技媒体を払い出すための払出駆動手段としてのモータ81を備えている。
（モータ）
前記モータ81は、例えばＤＣモータが用いられ、遊技制御装置10からの信号に基づいて駆動され、メダルを遊技者に払い出すことができる。
（図柄変動表示装置）
前記図柄変動表示装置20は、図には示さないが、例えば３個のリールを備え、各リールは、その外周に複数種類の図柄がほぼ等間隔で複数個配置されるとともに、各々モータによって回転可能に軸支されている。各リールは、スロットマシンの正面に設けられた表示窓に、その外周を臨ませて配置され、各モータの回転により、複数種類の図柄の変動表示を、表示窓を介して遊技者に対して、表示することができる。
（外部報知手段）
前記外部報知手段90は、図には示さないが、スロットマシンに配置された一対のスピーカを備え、前記スピーカを介して、遊技の状況を表した音声、エラー音や警告音などを外部に出力する。
（遊技制御装置）
前記遊技制御装置10は、遊技制御手段100と、払出制御手段110と、払出状態判定手段120と、外部報知制御手段130とを備えている。
（遊技制御手段）前記遊技制御手段100は、スタートスイッチ60やストップスイッチ70などからの信号を入力し、図柄変動表示装置20による遊技を動作させ遊技を可能とするとともに、入賞の判定、メダルの検出などの他、スロットマシンの遊技に関する様々な制御を行う。
【００２４】
また、前記遊技制御手段100は、メダルの払い出しが必要でないときには、第１のメダルセンサ40及び第２のメダルセンサ41について、電源からの電力の供給を停止している。
ここで、「メダルの払い出しが必要でないとき」とは、例えば遊技媒体払出要求信号aの入力がない状態をいい、「遊技媒体払出要求信号aの出力があったとき」以外の状態をいう。そして、「遊技媒体払出要求信号の出力があったとき」とは、遊技媒体払出要求信号aの出力がされてから、その信号の出力が終了するまでの間も勿論、信号の出力が終了していても、当該遊技媒体払出要求信号aの出力に基づく遊技媒体の払い出しが完了するまでの間をも含むものである。
【００２５】
このように、メダルの払い出しが必要でないときには、電源からの電力の供給を停止することにより、センサの寿命が短くなるのを有効に防止することができる。「遊技媒体の払い出しの完了」は、本実施の形態では、例えば遊技媒体払出要求信号aが出力され、当該遊技媒体払出要求信号aの内容とする遊技媒体数に対応するメダル枚数が第１のメダルセンサ40及び第２のメダルセンサ41で検出された時点をいう。
（払出制御手段）
前記払出制御手段110は、遊技の状況（例えば入賞の種類）に応じて、予め定められた数のメダルを払い出すための遊技媒体払出要求信号aを出力する。具体的には、第１の入賞である場合には、メダルを１５枚払い出すことを内容とする遊技媒体払出要求信号aを出力し、第２の入賞である場合には、メダルを８枚払い出すことを内容とする遊技媒体払出要求信号aを出力する。
（払出状態判定手段）
前記払出状態判定手段120は、前記払出制御手段110からの遊技媒体払出要求信号aが入力された状態では、前記第１のセンサ40からの遊技媒体検出信号c1及び第２のセンサ41からの遊技媒体検出信号c2にもとづいて、遊技媒体として適切なメダルが払い出されているか否かが判定されている。
【００２６】
前記払出状態判定手段120は、前記払出制御手段110からの遊技媒体払出要求信号aの入力がない状態で、前記駆動検知信号bの入力があったことを条件に、メダルの不正払出状態と判定し、不正信号dを出力する。上記したように、第１のメダルセンサ40及び第２のメダルセンサ41は、前記払出制御手段110からの遊技媒体払出要求信号aの入力がない状態では、電源からの電力の供給が停止され、メダルを検出することができないが、駆動検知信号bの入力の有無により、メダルの払い出しが行われたか否かを判定することができる。
（外部報知制御手段）
前記外部報知制御手段130は、前記払出状態判定手段120からの不正信号dを入力すると、前記スピーカから警告音を出力させる。
（動作）
メダルの正常な払出状態の検知及びメダルの不正払出状態の検知動作について、図３に示すように、タイムチャートを用いて簡単に説明する。図３は、各種信号の払出状態判定手段120への入力状態を示したタイムチャートである。
【００２７】
まず、前記遊技媒体払出要求信号aが出力されると、モータ81が駆動され、モータ81の駆動によって遊技媒体としてのメダルが払い出される。メダルが払い出されると、第１のメダルセンサ40及び第２のメダルセンサ41とが払い出されたメダルを順に検出し、各々遊技媒体検出信号c1,c2を払出状態判定手段120に入力する。前記払出状態判定手段120は、第１のメダルセンサ40及び第２のメダルセンサ41からの遊技媒体検出信号c1,c2を入力するが、前記遊技媒体払出要求信号aをも入力しているので、払出状態を正常と判定する。
なお、「遊技媒体払出要求信号の出力があったとき」とは、遊技媒体払出要求信号aの出力がされてから、その信号の出力が終了するまでの間も勿論、信号の出力が終了していても、当該遊技媒体払出要求信号aの出力に基づく遊技媒体の払い出しが完了するまでの間をも含むものであるので、当該遊技媒体要求信号aに基づくメダルの払い出しが完了する時点まで、すなわち遊技媒体検出信号c1,c2にもとづいて検出したメダル枚数が、遊技媒体払出要求信号aの出力に基づく所定の枚数に達するまでは、払出状態判定手段120は、メダルの払出状態を正常と判定する。
【００２８】
つぎに、メダルの払い出しが完了すると、遊技制御手段100は、第１のメダルセンサ40及び第２のメダルセンサ4１への電力の供給を停止する。このように、メダルの払い出しが完了した状態で、第１のメダルセンサ40及び第２のメダルセンサ4１への電力の供給を停止することにより、センサの稼働時間を節約して、センサの寿命の低下を有効に防止することができる。
【００２９】
さらに、メダルの払い出しが完了すると、信号切替手段50は、払出状態判定手段120へ入力される信号の種類を切り替えることにより、第１のメダルセンサからの遊技媒体検出信号c1を入力可能とする代わりに、駆動検知手段30からの駆動検知信号bを払出状態判定手段120へ入力可能とする。前記駆動検知手段30からの駆動検知信号bを払出状態判定手段120へ入力可能ととし、遊技媒体払出要求信号aの入力がない状態で、駆動検知信号bを入力すると、払出状態判定手段120は、これを不正状態と判定し、不正信号を出力する。
【００３０】
そして、外部報知制御手段130は、外部報知手段90による不正状態の外部報知を行わせる。この不正状態の外部報知は、一度不正払出状態と判定された場合、所定の操作が行われるまで、継続して報知を行わせることにより、より有効かつ迅速に不正状態が発見可能となる。また、不正状態の外部報知に伴い一度不正払出状態と判定された場合、所定の操作が行われるまで、不正状態の報知とともに、遊技を不能とするようにしてもよい。
（異なる実施の形態）
上記した遊技媒体払出要求信号aは、図３に示すように、遊技媒体の払い出し枚数に関する情報を含有していることから、必要な枚数の遊技媒体の払い出しの終了を迎える前に、信号の出力を終了しているが、異なる実施の形態では、遊技媒体の払い出し枚数に関する情報を含有せず、必要な枚数の遊技媒体が払い出されるまで、継続して信号を出力するようなものであってもよい。
【００３１】
図４は、駆動検知手段30の異なる実施の形態の一例を示した回路図である。前記駆動検知手段30は、モータに通電された電圧が所定値を越えたか否かでモータ81の駆動を検知していると説明したが、異なる実施の形態では、モータ81に流れる電流が所定の値を超えたか否で、モータの駆動を検知するようにしてもよい。
【００３２】
例えば、図４に示すように、トランジスタ、電流検知コイル、コンパレータなどを用いて払出駆動手段としてのモータの駆動を検知可能に形成され、モータの駆動を検知すると、検知信号を出力するように形成されている。具体的には、遊技媒体払出要求信号aが入力されると、電源からモータに通電される。モータに通電され、電流が所定値を越えると、コンパレータから駆動検知信号ｂが遊技制御装置10に出力されることとなる。
【００３３】
また、本実施の形態では、モータは例えばＤＣモータであると説明したが、ＤＣモータの変わりに、ＡＣモータやステッピングモータを用いるようにしてもよい、そして、ステッピングモータを使用した場合には、電圧の検知或いは電流の検知に変わり、モータに対して出力されたパルスを検出することで、モータの駆動を検知することができる。
【００３４】
また、上記した実施の形態では、スロットマシンの性能を有した遊技媒体払出装置を一例に説明したが、遊技媒体払出装置はこれに限らず、遊技媒体を払い出す装置であればいずれの装置であってもよく、例えば遊技媒体としてパチンコ球を用いる弾球遊技機、メダルを使った遊技機のほか、貸し球機やメダルチェンジャーといった、現金を投入すると遊技媒体に変換して払い出されるような装置も含まれることはいうまでもない。
【００３５】
【発明の効果】
本発明は、以上のように構成されているので、以下に記載されるような効果を奏する。
請求項１〜６記載の遊技媒体払出装置によれば、的確な状況で不正状態と判定することで、正確な不正管理が可能となる。
【図面の簡単な説明】
【図１】  スロットマシンの制御の概略を示したブロック図である。
【図２】  駆動検知手段の一例を示した回路図である。
【図３】  各種信号の出力タイミングを示したタイムチャート
【図４】  駆動検知手段の異なる実施の形態の一例を示した回路図である。
【符号の説明】
10 遊技制御装置
20 図柄変動表示装置
30 駆動検知手段
40 第１のメダルセンサ
41 第２のメダルセンサ
50 信号切替手段
60 スタートスイッチ
70 ストップスイッチ
80 媒体払出手段
81 モータ
90 外部報知手段
100 遊技制御手段
110 払出制御手段
120 払出状態判定手段
130 外部報知制御手段
【図１】
0004716461.tif 000002
【図２】
0004716461.tif 000003
【図３】
0004716461.tif 000004
【図４】
0004716461.tif 000005